(57)【特許請求の範囲】
【請求項１】
天井に矩形状の天井開口穴を設け、その天井開口穴に複数の吊金具と、室外機と接続される補助配管を有した空気調和機本体を設け、その空気調和機本体の前記補助配管を有する側面側の天井開口穴に熱交換機ユニットからの給気ダクトを導き接続した吹出装置を、下方に開口穴を有した箱形部と、その一側面に接しその内部を前記箱形部と連結した円筒部とで形成し、前記箱形部の上部には溝部を、また下部には吹出本体固定部を設け、空気調和機本体に形成した突起係合部に前記溝部を係合させると共に、空気調和機本体の下部と前記吹出本体固定部を固定した熱交換機ユニットの吹出装置。
【請求項２】
吹出本体と、前記吹出本体の円筒部と箱形部との連結面を任意の面積に可変できるようにして前記吹出本体の内部に設けられた風量調整板と、前記風量調整板をその一面に形成した複数の係合爪で前記吹出本体の複数の係合穴に係合させてスライド自在に固定している風量調整板押さえ板で構成した請求項１に記載の熱交換機ユニットの吹出装置。
【請求項３】
空気調和機本体の下方に化粧パネルを設け、化粧パネルを少なくともパネル本体と吸入グリルと吹き出し開口で構成し、前記パネル本体に吸入開口穴と、吹出装置の開口穴に対向した給気口を設け、また、前記吸入開口穴と前記給気口を被う吸入グリルを設け、前記給気口と前記吹出装置の開口穴をシール材を介して接続した請求項１または請求項２のいずれかに記載の熱交換機ユニットの吹出装置。
【発明の詳細な説明】
【０００１】
【発明の属する技術分野】
本発明は、空気調和機と共に用いられる熱交換機ユニットの吹出装置に関するものである。
【０００２】
【従来の技術】
近年、空気調和に対する質の要求はますます高まっており、従来の単なる冷房、暖房から、除湿、換気、空気清浄などを含めた総合的な空気調和が求められている。このような背景のもと、空気調和機と熱交換機ユニットが同時に住宅に取付けされている。
【０００３】
このような空気調和機と熱交換機ユニットを、図５に示す。同図において、５１は空気調和機であり、５２は熱交換器ユニット本体である。また、５３は吹出装置、５４は室内環気口、５５は室外排気口、５６は室外吸入口である。熱交換機ユニット本体５２には、熱交換器５７及び排気ファン５８、給気ファン５９が設けられ、また熱交換機本体５２の複数の接続口には、上記各部品とそれぞれ給気ダクト６０、環気ダクト６１、排気ダクト６２、吸入ダクト６３が接続されている。吹出装置５３には、吹出グリル６４、室内環気口５４には、環気グリル６５が設けられる。そして、室内には前記吹出グリル６４と環気グリル６５のみが露出しており、その他の部品は天井６６の上方に隠蔽されている。
【０００４】
前記空気調和機５１は、吹出装置５３と同様に天井６６に取り付けられ、その下方には化粧グリル６７が設けられる。室内空気は、環気グリル６５の室内環気口５４から環気ダクト６１を経由して熱交換機ユニット本体５２内に導かれ、熱交換器５７を介して排気ファン５８から排気ダクト６２に導かれ、排気口５５から室外に排出される。
【０００５】
また、屋外の空気は、室外吸入口５６から吸入ダクト６３を経由して熱交換機ユニット５２内に導かれ、同様に熱交換器５７を介して給気ファン５９から給気ダクト６０に導かれ、吹出装置５３の吹出グリル６４から室内に供給される。
【０００６】
一方、前記の空気調和機５１は、室内空気の冷却と加温を行い冷房、暖房を実現している。
【０００７】
【発明が解決しようとする課題】
このような従来の熱交換機ユニット５２の吹出装置５３を取り付けるには、天井６６に専用の取付穴を設けることが必要で、その位置の選定や天井６６の開口作業、さらにはその天井６６に対しての吹出装置５３自体の取付作業など多大な労力が必要であった。
【０００８】
また開口する天井６６の強度が不足するときには、天井６６の裏面に補強材を用いるなど、現場の状況に応じた施工上の対応が必要でさらに労力が必要であった。また、天井６６面には、吹出装置５３の吹出グリル６４と環気グリル６５、また、空気調和機５１の化粧グリル６７など多くのグリルが設けられているため外観上好ましくなく、またコスト的にも高価なものとなっていた。
【０００９】
本発明はこのような従来の課題を解決するものであり、施工性や外観が良好で、安価な熱交換機ユニットの吹出装置を提供することを目的とする。
【００１０】
【課題を解決するための手段】
上記課題を解決するために本発明は、熱交換機ユニットの吹出装置を空気調和機の天井開口穴に導き設けたものであり、吹出装置専用の取付穴が不要で施工性と外観が大幅に向上できる。
【００１１】
【発明の実施の形態】
請求項１に記載の発明は、天井に矩形状の天井開口穴を設け、その天井開口穴に複数の吊金具と補助配管を有した空気調和機本体を設け、その空気調和機本体の補助配管を有する側面の天井開口穴に熱交換機ユニットからの給気ダクトを導き吹出装置を接続したもので、その吹出装置を、箱形部と円筒部とで形成し、箱形部の上部に溝部を、また下部に吹出本体固定部を設け、空気調和機本体に形成した突起係合部に溝部を係合させると共に、空気調和機本体の下部と吹出本体固定部を固定したものであり、吹出装置用の天井開口作業が不要となり、取付作業が天井と接触のない作業となり、天井の裏面に補強材を取り付けるなどの作業も不要となる。
【００１２】
請求項２に記載の発明は、吹出装置は、吹出本体と風量調整板と風量調整板押さえ板で構成されて、風量調整板は吹出本体の円筒部と箱形部との連結面を任意の面積に可変できるようにして吹出本体の内部に設けられ、また、風量調整板押さえ板は風量調整板を、その一面に形成した複数の係合爪で吹出本体の複数の係合穴に係合させてスライド自在に固定したものであるから、組立が簡単で、また、風量バランスの調整が容易である。
【００１３】
請求項３に記載の発明は、空気調和機本体の下方に化粧パネルを設け、化粧パネルに吸入開口穴と、吹出装置の開口穴に対向した給気口を設けると共に吸入開口穴と給気口を被う吸入グリルを設け、また、給気口と吹出装置の開口穴を接続したものであるから吹出装置専用の吹出グリルが不要で、外観的、コスト的によい。
【００１４】
以下本発明の実施形態について図面を参照して説明する。
【００１５】
図１〜図４において、１は天井２内に矩形状天井開口穴３を設けて埋め込まれた空気調和機本体であり、４は空気調和機本体１の下方に取り付けられ、天井２の表面に露出した化粧パネルである。また、５は同様に天井２に埋め込まれた熱交換器ユニット本体であり、内部に熱交換器６及び排気ファン７、給気ファン８が設けられている。
【００１６】
９は熱交換機ユニット本体から室内側への給気を行う吹出装置、１０は室内の汚れた空気を回収する環気グリルを有する室内環気口、１１は室内の汚れた空気を室外へ排出する防水フードを有する室外排気口、１２は室外の新鮮な空気を吸入する同様の防水フードを有する室外吸入口である。そして、熱交換機ユニット本体５には複数の接続口１３が設けられ、前記各部品とそれぞれ給気ダクト１４、環気ダクト１５、排気ダクト１６、吸入ダクト１７でもって接続されている。
【００１７】
また、前記吹出装置９は、図２のように吹出本体１８と風量調整板１９と風量調整板押さえ板２０で構成されている。風量調整板１９は吹出装置９を複数個用いて設置したときの各吹出装置９間の風量バランスを取るためのものである。そして、吹出本体１８は下方に開口穴２１を有した箱形部２２とそのー側面に接した円筒部２３がその内部を連結して形成され、また、風量調整板１９は吹出本体１８の円筒部２３の箱形部２２との連結面を任意の面積に可変できるようにして吹出本体１８の内部に設けられ、また、風量調整板押さえ板２０は前記風量調整板１９を、その一面に形成した複数の係合爪２４で吹出本体１８の複数の係合穴２５に係合させてスライド自在に固定している。
【００１８】
つまり、風量調整板１９は、図４のようにその上部は円筒部２３内寸よりやや大きい大きさの半円形の形状で、下部はスライド部２６を有した矩形状であり、スライド部２６を風量調整板押さえ板２０の上下のレール部２７で挟み込んで左右にスライド可能に吹出本体１８の円筒部２３側内面に固定される。
【００１９】
そして、風量調整板１９中央部にはツマミ部２８を設けると共に、スライド部２６中央部に小突起２９を有する弾性体のストッパー部３０を設け、また、風量調整板押さえ板２０の上下のレール部２７の間に前記小突起２９に対応した複数個の凹部３１を設けている。また風量調整板押さえ板２０の凹部３１の反対面には、風量調整板１９のツマミ部２８の位置で円筒部２３の面積の可変の程度を判別できるように目盛り３２が表示されている。
【００２０】
また、吹出本体１８の箱形部２２上部には、円筒部２３と対向する面のその上端に溝部３３が形成され、また箱形部２２の下部は箱形部２２の開口穴２１の周囲に箱形平面部３４が形成されると共に、その一端には円筒部２３と対向する方向に延出した吹出本体固定部３５が形成される。そして、吹出本体固定部３５には、貫通穴３６が設けられ、また箱形平面部３４の下面にはシール材３７が貼り付けされている。
【００２１】
一方、空気調和機本体１の長手方向側面には一対の吊金具３８が設けられるとともに、その吊金具３８の間には、室外機（図示なし）と接続される補助配管３９と、断面が横Ｔ形状の突起係合部４０が設けられている。前記一対の吊金具３８、と補助配管３９、突起係合部４０は、各々が干渉しないようにほぼ並列に配置されるが、突起係合部４０が空気調和機本体１の吸い込み側近傍に位置する配列となっている。
【００２２】
また、空気調和機本体１下面の突起係合部４０下部には、前記の吹出本体固定部３５と合致する凹面４１が設けられ、凹面４１にはボス穴４２が形成されている。そして、吹出装置９は、その吹出本体１８の円筒部２３が前記の給気ダクト１４とアルミテープ４３で接続され、また、その上部の溝部３３が前記の空気調和機本体１の突起係合部４０と係合されると共に、その下部の吹出本体固定部３５が空気調和機本体１の凹面４１と重合されて、合致した貫通穴３６を通してボス穴４２にネジ４４が締め付けられて空気調和機本体１と固定される。
【００２３】
つまり、吹出装置９は、その下部の箱形平面部３４と空気調和機本体１の下面がほぼ同一面となって、建物の天井２と離れて空気調和機本体１と固定されている。
【００２４】
また、空気調和機本体１下方の化粧パネル４は、パネル本体４５と吸入グリル４６と吹き出し開口４７で構成され、パネル本体４５の吸入グリル４６が装着される部位には吸入開口穴４８が設けられ、吸入開口穴４８には、不織布を蛇腹状に織り込んだエアフィルター（図示なし）が設けられている。そして、吸入開口穴４８と並設して前記吹出装置９の開口穴２１と対向した給気口４９が設けられている。
【００２５】
前記吸入グリル４６は、外周に強固な枠を有すると共に全面に多数の桟が形成され、その大きさは、吸入開口穴４８と給気口４９を被う大きさである。そして、化粧パネル４は、空気調和機本体１の下面と吹出装置９の箱形平面部３４に接合して設けられ、吹出装置９の開口穴２１と化粧パネル４５の給気口４９は接続される。
【００２６】
このような構成において、室内の汚れた空気は、室内環気口１０から環気ダクト１５を経由して熱交換機ユニット本体５内に導かれ、熱交換器６を介して排気ファン７から排気ダクト１６に導かれ、室外排気口１１から室外に排出される。また、屋外の新鮮な空気は、室外吸入口１２から吸入ダクト１７を経由して熱交換機ユニット５内に導かれ、同様に熱交換器６を介して給気ファン８から給気ダクト１４に導かれ、吹出装置９を通して室内に供給される。
【００２７】
つまり、室外の空気は、給気ダクト１４から吹出本体１８の円筒部２３内部に導かれ、風量調整板１９で一部規制を受けながら、次に、吹出本体１８の箱形部２２内部に導かれ、吹出本体１８の開口穴２１から化粧パネル４の給気口４９を経由し、吸入グリル４６の桟の間から室内側に給気される。
【００２８】
以上のように、熱交換機ユニット５の吹出装置９を空気調和機本体１の補助配管３９側の天井開口穴３に導き設けたから、吹出装置９専用の天井開口穴３を設けることが不要で、吹出装置９の位置選定や天井の開口作業、また吹出装置自体の大がかりな取付作業が全く不要で施工性を大幅に向上させることができるばかりでなく、天井２の天井開口穴３は、本来の配管作業スペースとしての大きさがあればよいから余分な空間を必要としない。
【００２９】
また、吹出装置９の上部に溝部３３を、下部に吹出本体固定部３５を設け、また空気調和機本体１に突起係合部４０と凹面４１を設け、溝部３３と突起係合部４０、吹出本体固定部３５と凹面４１を係合させて吹出装置９を強固に固定しているから、住宅の天井２の強度に関わりなく吹出装置９を安定して固定することができ、また、天井２の奥に位置する溝部３３と突起係合部４０は係合させるだけで、下部に位置する吹出本体固定部３５と凹面４０をネジ４４で固定したから、手を天井２の奥に入れることもなく取付作業も容易である。
【００３０】
また、吹出装置９に風量調整板１９をスライド自在に固定しているから吹出装置９を複数個設置した場合においても風量バランスの調整が容易で有り、また、風量調整板押さえ板２０の複数の係合爪２４でのみ風量調整板１９を固定しているから組立が簡単である。
【００３１】
また、さらに、風量調整板１９にツマミ部２８とストッパー部３０を設け、また風量調整板押さえ板２０に目盛り３２と凹部３１を設けたから、ツマミ部２８をつかんでの風量調整板１９の左右への移動が容易であり、またストッパー部３０が凹部３１と嵌合して位置決めが確実にできる。
【００３２】
また、吹出装置９の下方に空気調和機本体１の化粧パネル４を設け、また吹出装置９の開口穴２１に対応した給気口４９を設け、吸入グリル４６を吸入開口穴４８と給気口４９を被う大きさとしたから、吹出装置９専用の吹出グリルが不要となり、外観的にも優れたものとなるばかりでなく、コスト的にも安価なものとすることができる。
【００３３】
また、吹出装置９と化粧パネル４の接続は、シール材を介しているから風漏れもなく、また吹出装置９と化粧パネル４は接触しているのみで固定されていないから、化粧パネル４の施工に対して特別な工程もなく作業性も良好である。
【００３４】
また、上記の風量調整板１９は化粧パネル４の設置後も吸入グリル４６を開ければ操作可能であり、設置後の試運転やメンテナンスに対しても効果的であることはいうまでもない。
【００３５】
【発明の効果】
上記実施形態から明らかなように、請求項１に記載の発明は、天井に矩形状の天井開口穴を設け、その天井開口穴に複数の吊金具と、室外と接続される補助配管を有した空気調和機本体を設け、その空気調和機本体の補助配管を有する側面の天井開口穴に熱交換機ユニットからの給気ダクトを導き吹出装置を接続したから、吹出装置専用の天井開口穴を開けることが不要で、吹出装置の位置選定や天井開口作業、また吹出装置自体の大がかりな取り付け作業がなく、施工性を大幅に向上させることができる。また、天井の天井開口穴は、本来の配管作業スペースの大きさがあれば良いから余分な空間を必要とせず、更に吹出装置を、下方に開口穴を有した箱形部と、その一側面に接しその内部を箱形部と連結した円筒部とで形成し、箱形部の上部には溝部を、また下部には吹出本体固定部を設け、空気調和機本体に形成した突起係合部に溝部を係合させると共に、空気調和機本体の下部と吹出本体固定部を固定したから、取付作業が天井と接触のない作業となり、天井の強度がない場合でも天井を補強する必要がないばかりでなく、安定した固定とすることができる。また、天井の奥に位置する溝部と突起係合部は係合させるだけで、下部に位置する吹き出し本体固定部だけを固定するから手を天井内に入れることなく固定作業も容易である。
【００３６】
請求項２に記載の発明は、吹出装置は、吹出本体と風量調整板と風量調整板押さえ板で構成されて、風量調整板は吹出本体の円筒部と箱形部との連結面を任意の面積に可変できるようにして吹出本体の内部に設けられ、また、風量調整板押さえ板は風量調整板を、その一面に形成した複数の係合爪で吹出本体の複数の係合穴に係合させてスライド自在に固定したものであるから、吹出装置を複数個設置した場合においても風量バランスの調整が容易で有り、また、風量調整板押さえ板の複数の係合爪でのみ風量調整板を固定しているから組立が簡単である。
【００３７】
請求項３に記載の発明は、空気調和機本体の下方に化粧パネルを設け、化粧パネルをパネル本体と吸入グリルと吹き出し開口で構成し、パネル本体に吸入開口穴と、吹出装置の開口穴に対向した給気口を設け、また、吸入開口穴と給気口を被う吸入グリルを設け、給気口と吹出装置の開口穴を接続したから吹出装置専用の吹出グリルが不要となり、外観的にも優れたものとなるばかりでなく、コスト的にも安価なものとすることができる。また、吹出装置と化粧パネルの接続は、シール材を介しているから風漏れすることもなく、接続状態は固定構造ではなく単に接触しているのみであるから、化粧グリルの施工に対して特別な工程もなく作業性も良好である。
【図面の簡単な説明】
【図１】本発明の一実施形態を示す熱交換機ユニット吹出装置の全体図
【図２】同一実施形態の吹出装置及び要部の下方からの分解斜視図
【図３】同一実施形態の要部の上方からの分解斜視図
【図４】同一実施形態の吹出装置の部分拡大図
【図５】従来例を示す熱交換機ユニットの吹出装置の全体図
【符号の説明】
１  空気調和機本体
２  天井
３  天井開口穴
５  熱交換機ユニット
９  吹出装置
１４  給気ダクト
３８  吊金具
３９  補助配管
【図１】
0003702716.tif 000002
【図２】
0003702716.tif 000003
【図３】
0003702716.tif 000004
【図４】
0003702716.tif 000005
【図５】
0003702716.tif 000006